(57)【要約】【課題】組込型調理機器において点火や消火、火力調節などを行う操作パネルの操作性および視認性を向上させる。【解決手段】操作パネル上部を支点として下部を回動自在とし、操作パネルの操作面が機器前面パネルと略同一面となる位置と、下部が機器前面パネルより前方へせり出した位置とに係止できる構成とした。【選択図】　図１
2004138308.tif 000002
【特許請求の範囲】
【請求項１】
機器本体の設置面に対して略垂直な前面パネル部に、調理制御等の操作面を有する操作パネルを備え、前面パネル部と操作パネルの両側のいずれか一方に操作パネルの回動軸となる突起部を設け、他方には突起部と相対的に上下方向に移動可能な突起嵌合部を設け、前面パネル部と操作パネル間には、突起部を回動軸として操作パネルの下端部側を前面パネル部の前方に回動させた傾斜状態で、突起部と突起嵌合部との相対的な移動によりその傾斜位置を係止する係止装置を設けた調理機器。
【請求項２】
突起部と突起嵌合部は、前面パネル部と操作パネルの両側上端に位置して設けた請求項１に記載の調理機器。
【請求項３】
操作パネルの操作面と反対側の裏側に電池収納部を有する請求項１または２に記載の調理機器。
【請求項４】
操作パネルには回動操作用のつまみを設けた請求項１〜３のいずれか１項に記載の調理機器。
【請求項５】
機器本体の前面パネル部には調理グリルを操作パネルと並設した請求項１〜４のいずれか１項に記載の調理機器。
【発明の詳細な説明】
【０００１】
【発明の属する技術分野】
本発明は、システムキッチンに組み込んだり、あるいは置き台上に載置して使用するガス機器等の調理機器に関するものである。
【０００２】
【従来の技術】
従来、この種の調理機器における、調理制御等の操作面を有する操作パネルは、機器本体の設置面に対して略垂直な前面パネル部と同一面に装備されているものであった（例えば、特許文献１参照）。
【０００３】
【特許文献１】
特開平５−２３１６４９号公報
【０００４】
【発明が解決しようとする課題】
しかしながら、上記従来の調理機器では、操作パネルが前面パネル部と同一面であるため、調理作業をする場合、操作パネルの操作をしようとすると、かがんで操作しないと、調理制御表示等が見にくく、調理操作がやりにくいといった課題を有していた。
【０００５】
本発明は、上記従来の課題を解決するもので、、調理制御等の操作面を有する操作パネルの操作性および視認性を向上させた調理機器を提供することを目的とする。
【０００６】
【課題を解決するための手段】
上記目的を達成するために、本発明の調理機器は、調理制御等の操作面を有する操作パネルの下端部側を、操作パネルの回動軸となる突起部とこれと相対的に上下方向に移動可能な突起嵌合部とにより、前面パネル部の前方に回動させ、その傾斜位置を係止することができるようにしたものである。
【０００７】
これにより、機器の使用時には操作パネルを上下方向に移動操作して傾斜位置で係止することができるので、操作パネルの操作性および視認性を向上させることができる。
【０００８】
【発明の実施の形態】
請求項１に記載の発明は、機器本体の設置面に対して略垂直な前面パネル部に、調理制御等の操作面を有する操作パネルを備え、前面パネル部と操作パネルの両側のいずれか一方に操作パネルの回動軸となる突起部を設け、他方には突起部と相対的に上下方向に移動可能な突起嵌合部を設け、前面パネル部と操作パネル間には、突起部を回動軸として操作パネルの下端部側を前面パネル部の前方に回動させた傾斜状態で、突起部と突起嵌合部との相対的な移動によりその傾斜位置を係止する係止装置を設けた調理機器とすることにより、機器の使用時には操作パネルを上下方向に移動操作して傾斜位置で係止することができるので、操作パネルの操作性および視認性を向上させることができる。
【０００９】
請求項２に記載の発明は、突起部と突起嵌合部は、前面パネル部と操作パネルの両側上端に位置して設けた請求項１に記載の調理機器とすることにより、操作パネルはその両側上端で回動するため操作面全体が前面パネル部に対して傾斜することになり、操作パネルの操作性および視認性が向上する。
【００１０】
請求項３に記載の発明は、操作パネルの操作面と反対側の裏側に電池収納部を有する請求項１または２に記載の調理機器とすることにより、電池収納部としていたスペースが操作パネルとして使用できるので、操作パネルの操作面を広くとることができ、より操作性および視認性を向上させることができる。
【００１１】
請求項４に記載の発明は、操作パネルには回動操作用のつまみを設けた請求項１〜３のいずれか１項に記載の調理機器とすることにより、操作パネルの回動操作と傾斜位置での係止操作が容易に行える。
【００１２】
請求項５に記載の発明は、機器本体の前面パネル部には調理グリルを操作パネルと並設した請求項１〜４のいずれか１項に記載の調理機器とすることにより、操作パネルの操作性および視認性がよい調理機器とすることができる。
【００１３】
【実施例】
以下、本発明の実施例について、図面を用いて説明する。
【００１４】
（実施例１）
図１〜図６は本発明の実施例１における調理機器を示すものである。本実施例ではガス機器を例にとって説明するが、これに限られるものではなく、電気機器であっても何ら差し支えない。
【００１５】
図１において、機器本体１の設置面に対して略垂直な前面部を形成する前面パネル部２の左側部には、魚などを焼成する調理グリルのグリル扉３が配設され、その右側には調理制御等の操作面を有する操作パネル４を備えている。操作パネル４の操作面４ａには、コンロやグリルの点火や消火、火力調節等を行う操作ボタン５と、コンロやグリルの火力の状態などを表示する表示装置６とが配設されている。また、前面パネル部２には、操作パネル４の下方位置に電池収納部７を備えており、前面パネル部２の前面からの蓋操作により電池の出し入れができるようになっている。
【００１６】
そして、図２、図３に示すように、操作パネル４の両側上端に位置して操作パネル４の回動軸となる突起部８を設け、前面パネル部２には突起部８と相対的に上下方向に移動可能な縦方向の長孔からなる突起嵌合部９を設けている。これにより、操作パネル４は、突起部８を回動軸として下端部側を前面パネル部２の前方に回動させることができるとともに、上下方向に移動可能な構成となっている。なお、本実施例とは逆に、突起部８を前面パネル部２に設け、突起嵌合部９を操作パネル４に設けても同様な動作ができる。
【００１７】
また、図４〜図６にも示しているように、操作パネル４の下端面と対向する前面パネル部２位置には、操作パネル４の下端部側を前面パネル部２の前方に回動させた際に、突起部８と突起嵌合部９との相対的な移動により、操作パネル後端部１０を係止し操作パネル４を傾斜位置に保持する突起よりなる係止装置１１を設けている。また、操作パネル４の下端部には、操作パネル４を回動操作するためのつまみ１２と、操作パネル４を前面パネル部２に収容した際に、係止装置１１と係合して、操作パネル４の前方への回動を阻止する係止突起１３を設けている。なお、操作パネル４の操作時における後方への移動は、つまみ１２の後端部１４と係止装置１１との係合により阻止されている。
【００１８】
次に作用について説明する。図４に示すように、機器を使用しない状態では、操作パネル４は、操作パネル４の下端部に設けた係止突起１３と、つまみ１２の後端部１４と、係止装置１１との作用により、操作パネル４の操作面４ａと、前面パネル部２とが略同一面の状態に係止されている。
【００１９】
機器を使用する場合は、図５に示すように、操作パネル４のつまみ１２を上方へ持ち上げると、突起部８と突起嵌合部９は、上下方向に移動できるので、操作パネル下部の係止突起１３は係止装置１１を乗り越え、操作パネル４が突起部８を回動軸として、前方向へ回動自在となる。そこで、つまみ１２を手前に引くと、操作パネル４の下端部は前面パネル部２よりせり出し、操作パネル後端１０が係止装置１１を乗り越えた時点でつまみ１２から手を放すと、図６に示すように、操作パネル４の操作面４ａと前面パネル部２とを、傾斜状態で係止することができる。この状態で、操作面４ａでの調理制御等の操作ができるものである。
【００２０】
調理が終われば、先程とは逆の操作でつまみ１２を上方へ持ち上げ、その後、後方に押し込んでいき、操作パネル４の操作面４ａと前面パネル部２とが略同一面の状態になった時点で手を放すと、図４の状態に戻すことができる。
【００２１】
以上のように、本実施例によれば、調理作業をする状態でも、操作パネル４は傾斜状態にあるため、操作ボタン等が押しやすく、また火力状態等の表示装置の視認性も向上でき、非使用時には操作パネル４の操作面４ａと前面パネル部２とが略同一面となるので、人や物がぶつかることもなく、安全性も確保することが可能となる。
【００２２】
（実施例２）
図７、図８は本発明の実施例２における調理機器を示すものである。実施例１と同一部分には同一符号を付して説明を省略する。
【００２３】
図に示すように、操作パネル４を、図１における電池収納部７に至る大きさとし、操作パネル４の操作面４ａと反対側の裏側にコ字状の電池収納部１５を有する。この電池収納部１５は、図８に示すように、乾電池１６を収納、交換する際は、操作パネル４のつまみ１２を手前に引き上げ、操作パネル４の裏側より行うものである。
【００２４】
これにより、前面パネル部２上の乾電池収納部７のスペースであった部分を操作パネル４として使えるので、操作パネル４の操作面積を拡大することができ、それにより操作ボタン等の大きさを大きくできる上、操作ボタン同士等の間隔も広く操作し易くできる。
【００２５】
【発明の効果】
以上の説明から明らかなように、本発明の調理機器によれば、機器の使用時には操作パネルを上下方向に移動操作して傾斜位置で係止することができるので、操作パネルの操作性および視認性を向上させることができるものである。
【図面の簡単な説明】
【図１】本発明の実施例１における調理機器の外観斜視図
【図２】同調理機器の操作パネルの正面図
【図３】同調理機器の前面パネル部の要部断面図
【図４】同調理機器の前面パネル部と操作パネルとの構成を示す断面図
【図５】同調理機器における操作パネルの操作状態を示す断面図
【図６】同調理機器の操作パネルを傾斜状態で係止した状態を示す断面図
【図７】本発明の実施例２における調理機器の前面パネル部と操作パネルの構成を示す断面図
【図８】同調理機器の電池収納部からの乾電池脱着状態を示す断面図
【符号の説明】
１　機器本体
２　前面パネル部
４　操作パネル
４ａ　　操作面
８　突起部
９　突起嵌合部
１１　係止装置
１２　つまみ
１５　乾電池収納部
【図１】
2004138308.tif 000003
【図２】
2004138308.tif 000004
【図３】
2004138308.tif 000005
【図４】
2004138308.tif 000006
【図５】
2004138308.tif 000007
【図６】
2004138308.tif 000008
【図７】
2004138308.tif 000009
【図８】
2004138308.tif 000010